(57)【特許請求の範囲】
【請求項１】
被取付部に固定されるための取付軸と、前記取付軸に同軸状に取り付けられ、前記取付軸の軸方向から見た外形が円形である渦巻バネと、前記渦巻バネの外周に固定される支持部材とを有する衝撃吸収部材と、
前記取付軸と平行な枠軸を有する円筒形状のレンズ枠とを備え、
前記衝撃吸収部材は前記レンズ枠の外周に取り付けられ、
前記取付軸は前記渦巻バネの内周面と係合して、前記取付軸の軸方向に対して前記渦巻バネの内周面を規制する第１の固定溝を備え、
前記支持部材は前記渦巻バネの外周面と係合して、前記取付軸の軸方向に対して前記渦巻バネの外周面を規制する第２の固定溝を備えるレンズ支持構造。
【請求項２】
前記レンズ枠は複数の前記衝撃吸収部材を備え、前記衝撃吸収部材は、前記枠軸の軸方向位置が同一となるように、前記レンズ枠の円周方向に均等間隔で取り付けられる請求項１に記載のレンズ支持構造。
【請求項３】
請求項１に記載のレンズ支持構造を備えるカメラ。
【発明の詳細な説明】
【技術分野】
【０００１】
本発明は、例えばカメラに用いられるレンズ支持構造に関する。
【背景技術】
【０００２】
レンズ支持構造は例えばカメラのレンズ枠をカメラボディに取り付けるために用いられ、カメラ及びレンズ枠に加えられる衝撃を吸収し、レンズ枠とカメラのボディとの間の取付部及びレンズ枠が破壊されることを防ぐ。
【０００３】
衝撃を吸収するレンズ支持構造として、レンズ枠から径方向に突き出る支持体とカメラのボディとの間に弾性部材を介在させて、レンズ枠の軸方向に加えられる衝撃を吸収する構成が知られている（特許文献１）。
【特許文献１】特開２００５−１６４６２０号公報
【発明の開示】
【発明が解決しようとする課題】
【０００４】
しかし、レンズ枠には軸方向だけでなく、レンズ枠の軸周り及び軸に垂直な方向に対しても衝撃が加えられることがある。これらの方向に対する衝撃を吸収緩和しないと、レンズの光軸がずれるだけでなく、レンズ枠とカメラのボディとの間の取付部が破壊され、レンズ枠がカメラボディから外れてしまうおそれがある。
【０００５】
本発明はこれらの問題を踏まえてなされたものであり、レンズ枠に加えられる全ての方向の衝撃を吸収緩和することが可能なレンズ支持構造を得ることを目的とする。
【課題を解決するための手段】
【０００６】
本願第１の発明によるレンズ支持構造は、被取付部に固定されるための取付軸と、取付軸に同軸状に取り付けられ、取付軸の軸方向から見た外形が円形である弾性部材と、渦巻バネの外周に固定される支持部材とを有する衝撃吸収部材と、取付軸と平行な枠軸を有する円筒形状のレンズ枠とを備え、衝撃吸収部材はレンズ枠の外周に取り付けられることを特徴とする。
【０００７】
弾性部材は渦巻バネが好適である。
【０００８】
取付軸は弾性部材の内周面と係合する第１の固定溝を備えることが望ましい。
【０００９】
また、支持部材は弾性部材の外周面と係合する第２の固定溝を備えるものであればなお良い。
【００１０】
レンズ枠は複数の衝撃吸収部材を備え、衝撃吸収部材は枠軸の軸方向位置が同一となるように、レンズ枠の円周方向に均等間隔で取り付けられることが好ましい。
【００１１】
本願第２の発明によるカメラは、上記レンズ支持構造を備えることを特徴とする。
【発明の効果】
【００１２】
本発明によれば、レンズ枠に加えられる全ての方向の衝撃を吸収緩和することが可能なレンズ支持構造を得ることができる。
【発明を実施するための最良の形態】
【００１３】
以下、本発明におけるレンズ支持構造の一実施形態について添付図面を参照して説明する。
【００１４】
図１を用いてレンズ支持構造を備えるカメラ１００について説明する。
【００１５】
図１にカメラ１００に取り付けられたレンズ支持構造を示す。説明のためレンズ支持構造を覆うカメラ１００の外装は省略されている。カメラ１００の正面にはレンズ支持構造を取り付けるための支持板１２０が取り付けられる。支持板１２０にはレンズ枠、すなわちレンズ鏡筒２００が固定環３００により取り付けられ、上面にはシャッターレリーズ釦１１０が設けられる。レンズ鏡筒２００は３つの円柱を摺動自在に嵌合させた繰り出し構造であり、レンズ鏡筒２００の外周に衝撃吸収部材４００が取り付けられる。カメラ１００の図示しない外装は、固定環３００をカメラ１００の内部に収容するように取り付けられる。レンズ鏡筒１００はその外装に開口する開口孔と遊嵌し、カメラ１００の外部に出入り自在となるように設けられる。
【００１６】
図２から４を用いてレンズ支持構造について説明する。
【００１７】
固定環３００は、その中心軸と同じ中心軸を有する円筒状の孔部、すなわち遊嵌孔部３１０を備える。レンズ鏡筒２００は遊嵌孔部３１０と同軸状に遊嵌する。レンズ鏡筒２００と遊嵌孔部３１０との間には間隙が設けられる。
【００１８】
固定環３００には、円周方向に均等な間隔で３つの固定孔部５００が設けられる。固定孔部５００は、固定環３００の厚さ方向に開口する固定孔５１０と、固定環３００における支持板１２０側の面から突出する円柱形状の固定突出部５２０とを備える。固定孔５１０の中心軸は固定孔５１０の中心軸と同軸であり、固定孔５１０は固定突出部５２０を貫通する。固定突出部５２０は固定孔５１０を補強する。
【００１９】
固定環３００の支持板１２０側の面には、円筒形状の第１の嵌合部６００が３つ設けられる。第１の嵌合部６００は、固定孔部５００の間に円周方向に対し均等に離間する。第１の嵌合部６００の支持板１２０側の面には、後述する取付軸８００と嵌合するための第１の嵌合凹部６１０が設けられる。第１の嵌合凹部６１０は固定環３００を貫通しない。
【００２０】
支持板１２０正面には、第１の嵌合部６００に対応する位置に第２の嵌合部７００が支持板１２０から突出するように設けられる。第２の嵌合部７００の中心には第２の嵌合凹部７１０が設けられる。第１の嵌合部６００と第２の嵌合部７００は径が略等しい円筒形状である。第１の嵌合凹部６１０と第２の嵌合凹部７１０は径が略等しい円筒形状の穴であり、第１及び第２の嵌合部６００、７００を貫通しない。
【００２１】
レンズ鏡筒２００において最も支持板１２０に近い外周には衝撃吸収部材４００が３つ取り付けられる。衝撃吸収部材４００はレンズ鏡筒２００の円周方向へ均等に離間する。
【００２２】
次に、固定孔部５００と螺合支持部９００との接合について説明する。
【００２３】
支持板１２０正面には、３つの固定孔部５００に対応する位置から３つの螺合支持部９００が突出する。螺合支持部９００の中心には螺子孔９１０が設けられ、固定孔５１０を貫通した螺子９２０が螺子孔９１０と螺合する。これにより、固定環３００が支持板１２０に固定される。
【００２４】
次に、衝撃吸収部材４００について説明する。
【００２５】
衝撃吸収部材４００は、弾性部材である渦巻バネ４１０と、レンズ鏡筒２００の外周から径方向に突出する支持部材４２０と、取付軸８００とから構成される。
【００２６】
渦巻バネ４１０は、平板状の鋼を、一定の軸と平行になるよう渦巻き状に巻回したものである。外周面４１１及び内周面４１２は略円筒形状をなす。
【００２７】
支持部材４２０の厚さは渦巻バネ４１０よりも大きい。支持部材４２０には渦巻バネ４１０の外周よりも小さい径を有する円筒形状の支持孔４２１が、支持部材４２０の厚さ方向に貫通する。
【００２８】
支持孔４２１の厚さ方向における中央には、内周面４２１の全周に渡り第２の固定溝４２２が設けられる。第２の固定溝４２２の幅は、渦巻バネ４１０の厚さよりもわずかに大きい。渦巻バネ４１０の外周面４１１は第２の固定溝４２２と係合する。これにより、外周面４１１は軸方向への動きが規制される。
【００２９】
レンズ鏡筒２００から突出する支持部材４２０の先端部４２３は、支持孔４２１の円周と平行な円弧を成すように成形される。
【００３０】
取付軸８００の軸方向中央部には、取付軸８００の全周に渡り第１の固定溝８１０が設けられる。取付軸８００において、第１の固定溝８１０が設けられる位置の径は端部の径よりも小さい。渦巻バネ４１０は、その内周面４１２が第１の固定溝８１０と係合するように取り付けられる。これにより、内周面４１２は軸方向への動きが規制される。
【００３１】
取付軸８００の一端は第１の嵌合凹部６１０に嵌挿され固定される。第１の嵌合凹部６１０を有する固定環３００は、螺子９２０により支持板１２０に固定されているため、取付軸８００の一端は支持板１２０に対し動くことはない。さらに、取付軸８００の他端は第２の嵌合凹部７１０に嵌挿され固定される。第２の嵌合凹部７１０を有する第２の嵌合部７００は支持板１２０に固定されているため、取付軸８００の他端は支持板１２０に対し動くことはない。取付軸８００はその両端が支持板１２０に対して動かないため、取付軸８００の軸は支持板１２０に対してぶれることがなく、衝撃を効率よく吸収できる。
【００３２】
レンズ鏡筒２００と支持板１２０及び遊嵌孔部３１０との間には、渦巻バネ４１０の軸方向及び径方向の変位可能量に応じた間隙が設けられる。これにより、レンズ鏡筒２００は間隙の範囲で変位可能となる。
【００３３】
次に、衝撃吸収部材４００の動作について説明する。
【００３４】
レンズ鏡筒２００の軸方向に外力が加えられたとき、レンズ鏡筒２００は支持板１２０に対し軸方向に変位する。この変位は、レンズ鏡筒２００に接続される支持部材４２０を介して渦巻バネ４１０の外周面４１１に伝えられる。渦巻バネ４１０の内周面４１２は取付部材を介して支持板１２０に対し軸方向に拘束されているため、渦巻バネ４１０の外周面４１１は内周面４１２に対し軸方向に変位する。これにより、衝撃吸収部材４００が軸方向の外力を吸収減衰して、レンズ鏡筒２００と支持板１２０との接合部に外力が伝達されることを防止及び緩和する。
【００３５】
レンズ鏡筒２００の径方向又は円周方向に外力が加えられたとき、レンズ鏡筒２００は支持板１２０に対し径方向又は円周方向に変位する。この変位は、レンズ鏡筒２００に接続される支持部材４２０を介して渦巻バネ４１０の外周面４１１に伝えられる。渦巻バネ４１０の内周面４１２は取付部材を介して支持板１２０に対し径方向に拘束されているため、渦巻バネ４１０の外周面４１１は内周面４１２に対し径方向に変位する。これにより、衝撃吸収部材４００が径方向の外力を吸収減衰して、レンズ鏡筒２００と支持板１２０との接合部に外力が伝達されることを防止及び緩和する。
【００３６】
それぞれの方向の外力が除かれたとき、渦巻バネ４１０の復元力により渦巻バネ４１０の外周面４１１と内周面４１２の位置関係は外力が加えられる前の位置関係に戻る。これにより、レンズ鏡筒２００は外力が加えられる前の位置に復帰する。
【００３７】
本実施形態によれば、衝撃吸収部材４００を備える部材に加えられる全ての方向の衝撃を吸収緩和することが可能である。
【００３８】
また、渦巻バネ４１０を用いることにより、組立工程において渦巻バネ４１０を第１の固定溝８１０又は第２の固定溝４２２に保持することが可能となり、組立が容易になる。
【００３９】
なお、レンズ鏡筒２００は繰り出し式のものでなく、カメラから突出しないレンズ鏡筒２００や、常に突出するレンズ鏡筒２００であっても良い。
【００４０】
また、衝撃吸収部材４００は３つに限定されず、衝撃を吸収するに必要な数が設けられればよい。
【００４１】
固定環３００を支持板１２０に固定する手段は、螺子９２０に限定されない。リベット、接着剤等、固定環３００を支持板１２０に確実に固定できるものであれば良い。
【００４２】
本実施形態では、レンズ鏡筒２００に対して加えられる衝撃がレンズ鏡筒２００と支持板１２０との接合部に伝達されることを防止緩和する構成について説明したが、支持板１２０に加えられる衝撃がレンズ鏡筒２００と支持板１２０との接合部に伝達されることを防止緩和することも可能であることは自明である。
【図面の簡単な説明】
【００４３】
【図１】衝撃吸収部材を備えるカメラの正面図である。
【図２】カメラの平面図である。
【図３】図２のIII−III線における斜視断面図である。
【図４】図１のIV−IV線における一部断面図である。
【符号の説明】
【００４４】
１００  カメラ
１２０  カメラボディ
２００  レンズ鏡筒
３００  固定環
４００  衝撃吸収部材
４１０  渦巻バネ
４２０  支持部材
８００  取付軸
【図１】
0004940040.tif 000002
【図２】
0004940040.tif 000003
【図３】
0004940040.tif 000004
【図４】
0004940040.tif 000005